(57)【特許請求の範囲】
【請求項１】
ナプキン本体とライナーで構成する生理用ナプキンにおいて、ナプキン本体は肌に接する側の上生地と反対側の下生地の周囲を縫い付けすると共に、上記下生地の中央部にはスリットを設け、該スリットから上下生地間に吸収材を内部に収容したライナーを出し入れ可能としたもので、少なくともナプキン本体の上記上生地は和紙製糸を用いて編織した生地を使用したことを特徴とする生理用ナプキン。
【請求項２】
肌に接する側の上記上生地にはライナーを重ねて止着可能とし、該ライナーの少なくとも上生地は和紙製糸を用いて編織した生地を使用した請求項１記載の生理用ナプキン。
【発明の詳細な説明】
【０００１】
【発明の属する技術分野】
本発明は和紙から成る糸を使用した生理用ナプキンに関するものである。
【０００２】
【従来の技術】
一般的に使用している生理用ナプキンは使い心地が良いように薄くて吸収力に優れているが、これらの多くは製造過程や製品自体に石油系化学合成物質を使用している。例えば、表面にはポリエステルやポリプロピレン等の不織布、吸収材には綿状パルプや高分子吸収体が使われている。
【０００３】
そしてこれらは大量のゴミと成ってダイオキシン発生源となるばかりか、敏感な腟周辺の皮膚呼吸を妨げ、カブレ、カユミの原因となり、さらに粘膜で覆われている女性器に長期間にわたって触れさせることに関して人体への影響が懸念される。薬理成分は皮膚に塗ったり、湿布したりすることで吸収されるように、生理用ナプキンの有害物質を長年にわたって吸収し続け、生命創造の根源である子宮がダイオキシンやその他の化学物質で汚染される心配がある。
【０００４】
又、従来の紙ナプキンや吸収材の多くは便利な使い捨てタイプであり、一度の使用をもって使い捨てられている。一人の女性は１０代から５０代まで生理があって、この間に約１万個以上の生理用ナプキンが使い捨てられることになり、地球上の資源の枯渇が叫ばれている中、生理用ナプキンを製造する為に世界の森林が次々となぎ倒されていく。
【０００５】
従来より、洗濯して何度も再使用の出来る生理用ナプキンも存在しており、これにはオーガニックコットンが使用されている。しかし、日本では原料の綿花を自給出来ずに綿花の供給を外国からの輸入に依存している現状がある。さらには、オーガニックコットンの使用をうたっている製品の中には、製造から日本に輸入され販売されるまでの間には製品に何らかの化学的な処理が施されている疑いもあり、安全な生理用ナプキンとは言い切れない。何故なら、国内での使用の実情を調査すると、オーガニックコットンを用いた生理用ナプキンの使用時に女性器のカブレやカユミを訴えている人が存在している。
【０００６】
【発明が解決しようとする課題】
このように従来の生理用ナプキンには上記のごとき問題がある。本発明が解決しようとする課題はこの問題点であり、経血を効率よく吸収することが出来、又自在に変形して人体の動きにピッタリとフィットし、さらに洗濯して何度も再使用することが出来、化学合成物質を含まずして生分解が可能で地球上の生命系に無害な生理用ナプキンを提供する。
【０００７】
【課題を解決する為の手段】
本発明に係る生理用ナプキンはその素材を和紙とした点に特徴がある。和紙の原料は植物の靭皮繊維であり、この靭皮繊維と人の皮膚には共通点がある。植物の茎の周囲を取り巻く外皮の約１／３以上を失うと植物は死んでしまうと言われるが、人の皮膚も約１／３以上を火傷などで失うと死んでしまう。すなわち、植物の外皮も人の皮膚も失う限界が１／３である点が共通し、それ以下であれば死なずに回復することが出来る。
【０００８】
この事実から植物の外皮も人の皮膚もそれぞれの生命力に大事な部分であることが解り、又植物の外皮にある靭皮繊維を人が皮膚のように纏うことが如何に整合性のある選択であることかが理解できる。本発明に係る生理用ナプキンは昔から馴染み深く人体にとって無害で天然の和紙を素材として製作した和紙製糸を使用した編織生地、あるいは和紙製糸を使用して編成した丸編生地を用いている。生理用ナプキンにも色々あるが、本発明では生理用ナプキンの形状・構造は特に限定しないこととし、少なくとも肌に接する上生地は和紙製糸を用いた編織生地が使用される。
【０００９】
ところで、和紙製糸に関しては出願人は平成１２年３月２１日付けで特許出願を行っているように(特願２０００−７７９５０号)、和紙を細長く裁断して適当な撚りを加えることで製造される。この和紙製糸を湯通し処理したりギアー状ロールを通すことで柔らかくし、又摩擦抵抗を小さくする為にワキシング処理を施すことも出来る。この和紙製糸は吸水能力が綿糸に比較して約３倍ほど勝り、さらに和紙製糸を編織物とすることでその表面観は３次元的立体様相を成すことが出来る。
【００１０】
表面が３次元立体となることで、隙間が経血の通過道となり、経血はスムーズに誘導されて和紙製糸に吸収され、編織生地に生じる隙間にも経血が吸着する。又編織生地の編織の形態によっては、該編織生地に生じる隙間に吸着される経血により強い表面張力を働かせ、安定してより効率良く経血を吸着させることが可能である。
【００１１】
一方、和紙製糸を用いた編織生地、又は和紙製糸を使用して編成した丸編生地を加工した本発明の生理用ナプキンは自在に変形して人体にフィットし、身体の動きに対しても柔軟に追従することが出来る。さらに洗濯して何度となく再使用することが可能であり、生分解が可能で地球上の生命系に無害であって、化学合成物質を含まない。以下、本発明に係る実施例を図面に基づいて詳細に説明する。
【００１２】
【実施例】
図１は本発明の生理用ナプキンを構成するライナーを示している実施例である。このライナーの外形形状は従来の生理用ナプキンと大差はなく、又同図に示す形状に限定するものではないが長円形を成している。そしてライナーは図２に示しているように上生地１と下生地２、及び吸収材３を有し、吸収材３は図１に点線で示しているように上下生地１，２より一回り小さくなっている。そして吸収材３は上生地１と下生地２との間に挟まれて上下生地１，２はその外周部が止着されている。止着手段は任意であるが、一般には縫い合わせされる。
【００１３】
ここで、上生地１及び下生地２は和紙製糸を使用して編織した生地であり、これを長円形に裁断して用いられる。又上記吸収材３も和紙製糸を用いて編織した生地が使用され、上下生地１，２に挟まれる吸収材３の枚数は経血の量に応じて選択することが出来る。すなわち、吸収材３の枚数を異にしたライナーを準備しておけばよく、生理時の経血量に応じて適当なものを使用することが出来る。
【００１４】
図３は本発明の生理用ナプキンを構成するナプキン本体を示している実施例であり、このナプキン本体に前記図１に示しているライナーを収容して使用する。同図の点線は収容したライナーを示している。ナプキン本体は長円形の収容部４とその両側に羽根部５ａ，５ｂを設けており、図４に示しているように上生地８と下生地９から成り、上下生地８，９は周囲が縫い合わされている。そして下生地９の中央には縦方向にスリット６が形成され、このスリット６は開くことが出来る。
【００１５】
ナプキン本体はその外周部が縫い合わされていて、上下生地８，９間にはライナー１０が収容されるが、このライナー１０はスリット６から出し入れ可能となっている。又羽根部５ａ，５ｂの先端には粘着テープ(マジックテープ)７ａ，７ｂが設けられ、両羽根部５ａ，５ｂは互いに連結することが出来る。
【００１６】
すなわち、図５に示しているように、パンツの下側繋ぎ部を両羽根部５ａ，５ｂによって抱きかかえ、外れないように粘着テープ７ａ，７ｂにて止着する。粘着テープ７ａは羽根部５ａの表側に、一方の粘着テープ７ｂは羽根部５ｂの裏側に設けられている。勿論、羽根部５ａ，５ｂの連結手段は粘着テープに限定することはなく、ホック、ボタンなどを使用することもある。同図の(ａ)は肌に接する上側、(ｂ)は下側を示し、パンツ１１に生理用ナプキンを当て、両羽根部５ａ，５ｂを下側に折り曲げて外れないように粘着テープ７ａ，７ｂにて止着する。
【００１７】
この生理用ナプキンはナプキン本体の収容部４に設けているスリット６からライナー１０を入れることが出来る為に、生理時の経血量に応じて該ライナー１０，１０…の枚数を調整する。さらなる吸収力を得る為には、編織の目が絡み合った和紙製糸を使用して編成した丸編生地が適している。これら実施例では、上生地、下生地、及びライナーが共に和紙製糸から成る編織生地を使用しているが、少なくとも肌に当る上生地は和紙製糸を用いた編織生地で構成することが必要であるが、他の下生地及び吸収材３に関しては他の素材を使用することもあり得る。
【００１８】
一方、ナプキン本体の収容部４にライナー１０を収容する場合に限らず、ナプキン本体の上生地中央にライナー１０を重ね合せて止着することもある。この場合には収容部４にスリット６を設ける必要はなく、上生地８に粘着テープ等にて位置ズレしないように止着する。又収容部を必要としないことから下生地９がなくてもよい。そしてライナー１０をナプキン本体の中央に重ね合せて使用することで、経血を吸着したライナー１０を簡単に取外して洗うことが出来る。
【００１９】
一方、本発明の生理用ナプキンにヨモギの薬理成分を含浸させることが出来る。これは素材となる和紙にヨモギの薬理成分を漉き込み、この和紙を用いて和紙製糸を作ると共に、この糸を編織した生地を使用する。すなわちヨモギを細かく粉砕してこれを原料液に混入し、粉砕したヨモギを混入している原料液を漉くことで、ヨモギの薬理成分を含浸した和紙が出来上がる。
【００２０】
又和紙製糸を用いて編織した生地をヨモギを細かく粉砕した溶液に浸すことでヨモギの薬理成分を含浸させることが出来る。或は和紙製糸を用いて編織した生地をヨモギを細かく粉砕して糊を混ぜた溶液に浸すことでヨモギの薬理成分を付着させることが出来る。又、別の方法として、糊を塗ったり吹き付けたりした和紙製糸を用いて編織した生地を、ヨモギを細かく粉砕した溶液に浸すことでヨモギの薬理成分を付着させてもよい。使用する糊の種類は特に限定しないが、人体に無害なデンプンが適している。
【００２１】
そして、ヨモギの薬理成分が含浸又は付着した編織生地を使用して生理用ナプキンの上生地及び下生地、さらには吸収材を製作する。このようにヨモギの薬理成分を含浸又は付着することで、女性器の衛生状況の維持、又は自然治療の回復を図ることが出来、さらにはヨモギに限らず、キハダ、ドクダミ、ユキノシタ、ビワ等の薬草を使用することもある。
【００２２】
以上述べたように、本発明に係る生理用ナプキンは和紙製糸で編織した生地を使用したものであり、次のような効果を得ることが出来る。
【００２３】
【発明の効果】
和紙は人体に有害と言われる石油化学系の化学合成物質を含んでいない為に、該和紙製糸から成る編織生地を使用した本発明の生理用ナプキンは人体に無害である。そして土中に廃棄処分しても自然界で分解され、自然界の生命系にも無害である。又和紙製糸を用いた編織生地から成る生理用ナプキンは強度があり、弾力性があり、又柔軟性があり、さらには通気性に優れている。
【００２４】
しかし素材が和紙である為に経血を効率よく吸収することが出来、経血を吸収した状態でも人体の動きに応じて柔軟にフィットすることが出来る。さらに、本発明の生理用ナプキン、特にスリットを形成してライナーを交換するようにしたり、ナプキン本体中央部にライナーを重ね合せて着脱自在とすることで再利用することが出来、資源の無駄使いを防止する上で大きな効果がある。
【図面の簡単な説明】
【図１】長円形をしたライナー。
【図２】ライナーの展開図。
【図３】ナプキン本体の具体例。
【図４】ナプキン本体の展開図。
【図５】生理用ナプキンの装着状態。
【符号の説明】
１  上生地
２  下生地
３  吸収材
４  収容部
５  羽根部
６  スリット
７  粘着テープ
８  上生地
９  下生地
10  ライナー
11  パンツ
【図１】
0003809050.tif 000002
【図２】
0003809050.tif 000003
【図３】
0003809050.tif 000004
【図４】
0003809050.tif 000005
【図５】
0003809050.tif 000006